(57)【要約】      （修正有）【課題】太陽光パネルを強固にかつ、簡易な構造で固定することができる太陽光パネルの固定金具を提供する。【解決手段】太陽光パネルを屋根上に固定するための固定金具１００であって、屋根上に設置される複数の直線状のレール溝１１１が設けられた基台１１０と、太陽光パネルの端部を固定する第１の押圧部材１４０と、隣り合う太陽光パネルの端部を固定する第２の押圧部材と、レール溝に係合し、第１の押圧部材及び第２の押圧部材とを締結固定する締結部材とを有することを特徴とする。【選択図】図１
0003189303.tif 000002
【実用新案登録請求の範囲】
【請求項１】
太陽光パネルを屋根上に固定するための固定金具であって、
前記屋根上に設置される複数の直線状のレール溝が設けられた基台と、前記太陽光パネルの端部を固定する第１の押圧部材と、隣り合う前記太陽光パネルの端部を固定する第２の押圧部材と、該レール溝に係合し、前記第１の押圧部材及び前記第２の押圧部材とを締結固定する締結部材とを備え、
前記第１の押圧部材及び前記第２の押圧部材の下面には、前記太陽光パネルの端部と電気的に接続させ接地するアースが設けられていることを特徴とする太陽光パネルの固定金具。
【請求項２】
前記第１の押圧部材の下面に設けられる前記アースは、略Ｚ字状に折曲された形状で一端に延設され前記太陽光パネルの端部に当接して押圧する第１の押圧部を有することを特徴とする請求項１記載の太陽光パネルの固定金具。
【請求項３】
前記第２の押圧部材の下面に設けられる前記アースは断面略Ｕ字状に形成され、両端に延設され隣り合う前記太陽光パネルの両方の端部に当接して押圧する第２の押圧部を有することを特徴とする請求項１記載の太陽光パネルの固定金具。
【請求項４】
前記基台の上面には高さを調整するための平板状の高さ調整部が設けられていることを特徴とする請求項１記載の太陽光パネルの固定金具。
【考案の詳細な説明】
【技術分野】
【０００１】
本考案は、太陽光パネルを住宅の屋根に設置する際に用いる固定金具に関し、特に、太陽光パネルを容易に屋根に固定することができる太陽光パネルの固定金具に関する。
【背景技術】
【０００２】
近年、地球環境問題への関心の高まりとともに、自然エネルギーを利用した新エネルギー技術のひとつとして、太陽光発電システムが注目され、その実用化が加速されてきている。太陽光発電システムは、その構成要素である太陽電池により太陽光エネルギーを電力に変換して利用するものである。
【０００３】
この太陽光発電システムを構成する太陽光パネルは家屋等の屋根に一体的に多数取り付けれており、この太陽光パネルを取り付ける部材としては、直線状のレール溝を設けた基台と基台上に配置された太陽光パネルの周縁部を上から押圧して固定するための第１の押圧部材と、太陽光パネルの周縁部を下から押圧して固定するための第２の押圧部材と、レール溝に係合しながら押圧部材を固定するための締結部材とから構成される固定構造が提案されている（特許文献１）
【先行技術文献】
【特許文献】
【０００４】
【特許文献１】特許第４０９９０８３号公報
【考案の概要】
【考案が解決しようとする課題】
【０００５】
しかしながら、特許文献１に示した固定構造では、太陽光パネルを構成するフレームに設けられた突起片を押圧して固定していることから、太陽光パネル本体を強固に固定するには不十分な構造となっている。
従って、本考案の目的は、このような問題を解決して、太陽光パネルを強固にかつ、簡易な構造で固定することができる太陽光パネルの固定金具を実現することを目的とする。
【課題を解決するための手段】
【０００６】
上記課題を解決するため、本考案の太陽光パネルの固定金具は、太陽光パネルを屋根上に固定するための固定金具であって、前記屋根上に設置される複数の直線状のレール溝が設けられた基台と、前記太陽光パネルの端部を固定する第１の押圧部材と、隣り合う前記太陽光パネルの端部を固定する第２の押圧部材と、該レール溝に係合し、前記第１の押圧部材及び前記第２の押圧部材とを締結固定する締結部材とを備え、前記第１の押圧部材及び前記第２の押圧部材の下面には、前記太陽光パネルの端部と電気的に接続させ接地するアースが設けられていることを特徴とする。
【０００７】
また、本考案の太陽光パネルの固定金具は、前記第１の押圧部材の下面に設けられる前記アースは、略Ｚ字状に折曲された形状で一端に延設され前記太陽光パネルの端部に当接して押圧する第１の押圧部を有することを特徴とする。
【０００８】
また、本考案の太陽光パネルの固定金具は、前記第２の押圧部材の下面に設けられる前記アースは断面略Ｕ字状に形成され、両端に延設され隣り合う前記太陽光パネルの両方の端部に当接して押圧する第２の押圧部を有することを特徴とする。
【０００９】
さらに、太陽光パネルの固定金具は、前記基台の上面には高さを調整するための平板状の高さ調整部が設けられていることを特徴とする。
【考案の効果】
【００１０】
本考案は、以上のように構成することにより、屋根上に太陽光パネルの端部を簡易な構成で容易に固定することができるため作業効率を向上させることができ、また、屋根上に太陽光パネルを強固に固定することができる。
【図面の簡単な説明】
【００１１】
【図１】図１（ａ）は、太陽光パネルの端部を固定する端部固定金具の構成を示した分解斜視図であり、図１（ｂ）は、端部固定金具を組み立てた状態を示した斜視図である。
【図２】図２（ａ）は、中間固定金具の構成を示した分解斜視図であり、図２（ｂ）は、中間固定金具の組み立てた状態を示した斜視図である。
【図３】図３（ａ）は、太陽光パネルを屋根上に配置した様子を模式的に示した図であり、図３（ｂ）は、太陽光パネルの端部を端部固定金具で固定した様子を模式的に示した図であり、図３（ｃ）は、並列した太陽光パネル同士を中間固定金具で固定した様子を模式的に示した図である。
【図４】図４（ａ）は、端部固定金具を設置した状態を示した断面図であり、図４（ｂ）は、中間固定金具を設置した状態を示した断面図である。
【考案を実施するための形態】
【００１２】
以下、図面を参照して本考案に係る太陽光パネルの固定金具について説明する。
図１（ａ）は、太陽光パネルの端部を固定する端部固定金具の構成を示した分解斜視図であり、図１（ｂ）は、端部固定金具を組み立てた状態を示した斜視図である。
図１（ａ）に示すように、太陽光パネルの端部に設置して屋根上に太陽光パネルを固定する端部固定金具１００は、直線状のレール溝１１１を有する基台１１０と、平板状で設置する際に高さを調整する高さ調整部１２０と、太陽光パネルの絶縁対策として漏電の被害を回避するためのアース金具１３０と、太陽光パネルの端部を押圧して固定する押圧部材１４０と、基台１１０のレール溝１１１に係合し、高さ調整部１２０と、アース金具１３０と、押圧部材１４０とを固定するためのボルト１５０と、このボルト１５０に装着するワッシャー１６０とナット１７０とから構成されている。
【００１３】
基台１１０は、例えばアルミニウム等の軽量で強度に優れた金属材料で構成されている。基台１１０には、両端が開口したレール溝１１１を有し、このレール溝１１１の開口したところからボルト１５０の頭部１５１を係合させ、レール溝１１１の長さ方向に移動させることができる。
【００１４】
高さ調整部１２０は平板状で、かつ平面視で略凹形状である開口部１２１を有し、所定の厚みで形成されている。開口部１２１は、ボルト１５０の軸１５２の幅よりもやや大きい開口で、この開口にボルト１５０の軸１５２を嵌合させることで基台１１０上に設置することができる。
【００１５】
アース金具１３０は、平板を略Ｚ字状に折曲させた金属製の部材であって、一端が太陽光パネルの端部に当接して押圧する第１の押圧部１３１を有し、他端には、ボルト１５０の軸１５２を挿通させる貫通孔１３２を有する。
押圧部材１４０は、アース金具１３０と同様に平板を略Ｚ字状に折曲させた金属製の部材であって、一端に延設され太陽光パネルの端部を押圧する押圧部１４１を有する。また、押圧部材１４０の略中央にはボルト１５０の軸１５２を挿通させるための貫通孔１４２が形成されている。
【００１６】
そして、図１（ｂ）に示すように、基台１１０のレール溝１１１にボルト１５０の頭部１５１を係合させ、ボルト１５０の軸１５２に高さ調整部１２０の開口部１２１を嵌合させる。次にアース金具１３０及び押圧部材１４０をボルト１５０の軸１５２に挿通させ、ワッシャー１６０及びナット１７０で締結することにより端部固定金具１００を組み立てることができる。
【００１７】
次に、並列したパネル同士を固定する中間固定金具の構成について説明する。
図２（ａ）は、中間固定金具の構成を示した分解斜視図であり、図２（ｂ）は、中間固定金具の組み立てた状態を示した斜視図である。
図２（ａ）に示すように、並列した太陽光パネル同士を固定する中間固定金具２００は、レール溝２１１を有する基台２１０と、平板状で設置する際に高さを調整する高さ調整部２２０と、断面略Ｕ字状で後述するアース金具２４０と押圧部材２５０を支持する支持部材２３０と、太陽光パネルの絶縁対策として漏電の被害を回避するためのアース金具２４０と、並列する太陽光パネルのそれぞれの端部を押圧して固定する押圧部材２５０と、これらの部材を固定するためのボルト２６０と、ワッシャー２７０と、ナット２８０とから構成されている。
【００１８】
基台２１０及び高さ調整部２２０は、上記した端部固定金具１００を構成する基台１１０と高さ調整部１２０と同様の構成であるため説明は省略する。
高さ調整部２２０の上面に配置される支持部材２３０は、アース金具２４０と押圧部材２５０を支持するためのものであり、断面略Ｕ字状で中央にボルト２６０の軸２６１を挿通させるための貫通孔２３１を有する。
【００１９】
アース金具２４０は、断面略Ｕ字状で両端には太陽光パネルの端部を当接して押圧する第２の押圧部２４１を有する。また、押圧部材２５０は、断面略Ｈ字状で両端に太陽光パネルの端部を当接して押圧する押圧部２５１を有する。
【００２０】
そして、図２（ｂ）に示すように、基台２１０のレール溝２１１にボルト２６０の頭部２６１を係合させ、ボルト２６０の軸２６１に高さ調整部２２０の開口部２２１を嵌合させる。次に支持部材２３０の貫通孔２３１をボルト２６０の軸２６１に挿通させ、高さ調整部２２０の上面に支持部材２３０を設置する。そして、同様に、アース金具２４０の貫通孔２４１と押圧部材２５０の貫通孔２５１にもボルト２６０の軸２６１を挿通させ、最後に、ワッシャー２７０とナット２８０とで締結することで組み立てることができる。
【００２１】
図３（ａ）は、太陽光パネルを屋根上に配置した様子を模式的に示した図であり、図３（ｂ）は、太陽光パネルの端部を端部固定金具で固定した様子を模式的に示した図であり、図３（ｃ）は、並列した太陽光パネル同士を中間固定金具で固定した様子を模式的に示した図である。
図示するように、複数の太陽光パネル１は、屋根２に対して平面状かつ、一体的に取り付けられており、太陽光パネル１の端部には端部固定金具１００によって固定されており、隣り合う太陽光パネル１の端部には中間固定金具２００によって固定されている。
【００２２】
図４（ａ）は、端部固定金具を設置した状態を示した断面図であり、図４（ｂ）は、中間固定金具を設置した状態を示した断面図である。
図示するように、予め屋根２上の所定位置に設置した端部固定金具１００を構成する基台１１０のレール溝１１１にボルト１５０の頭部１５１を係合させ、高さ調整部１２０の開口部１２１にボルト１５０の軸１５１を嵌合させる。
次に、屋根上２の所定位置に中間固定金具２００を構成する基台２１０を設置し、基台２１０のレール溝２１１にボルト２６０の頭部２６１を係合させ、高さ調整部２２０の開口部２２１にボルト２６０の軸２６２を嵌合させる。そして、支持部材２３０の貫通孔２３１にボルト２６０の軸２６２を挿通させ、高さ調整部２２０の上面に支持部材２３０を配置する。
【００２３】
このように、屋根２上の所定位置に、端部固定金具１００及び中間固定金具２００の一部を設置した後、それぞれの固定金具１００，２００上に太陽光パネル１を載置する。そして、太陽光パネル１の端部には、端部固定金具１００を構成するアース金具１３０と押圧部材１４０を設置し、ワッシャー１６０とナット１７０で締結して固定する。また、隣り合う太陽光パネルの端部には中間固定金具２００を構成するアース金具２４０と押圧部材２５０を設置し、ワッシャー１６０とナット１７０で締結して固定することで、屋根２上に太陽光パネル１を設置することができる。
【符号の説明】
【００２４】
１００    端部固定金具
１１０、２１０    基台
１２０、２２０    高さ調整部
１３０、２４０    アース金具
１４０、２５０    押圧部材
１５０、２６０    ボルト
１６０、２７０    ワッシャー
１７０、２８０    ナット
【図１】
0003189303.tif 000003
【図２】
0003189303.tif 000004
【図３】
0003189303.tif 000005
【図４】
0003189303.tif 000006